(57)【要約】【課題】キャビネットの底板をバッフル板と兼用し、その開口に下向きに低音用スピーカ１７を取付けたスピーカ装置において、このスピーカ装置の設置条件によって音質の変化が発生するのを防止し、さらには高機能の意匠的な効果を付与することを目的とする。【解決手段】キャビネット１０の底板１４の底面に取付けられている支持脚２３によってアクリル樹脂製の透明な反射板１８を保持し、この反射板１８を低音用スピーカ１７の下方に対向して配置するとともに、支持脚２３に設けられている発光ダイオード２９からの光をこの反射板１８内に導入してイルミネーション効果を発現する。【選択図】  図６
2004297730.tif 000002
【特許請求の範囲】
【請求項１】
キャビネットのバッフル板の開口部にスピーカ本体を取付けたスピーカ装置において、
前記バッフル板がキャビネットの底板から構成され、該底板の開口部に下方に向けて前記スピーカ本体を取付けるとともに、前記底板の下側に前記スピーカ本体からの音声を反射する反射板を配することを特徴とするスピーカ装置。
【請求項２】
前記キャビネットの底板に支持脚が取付けられるとともに、該支持脚の側面によって前記反射板が支持され、前記反射板と床面との間に隙間が形成されることを特徴とする請求項１に記載のスピーカ装置。
【請求項３】
前記キャビネットにダクトが設けられていることを特徴とする請求項１に記載のスピーカ装置。
【請求項４】
キャビネットの底板の開口部に下方に向けてスピーカ本体を取付けるとともに、
前記スピーカ本体と対向するように底板の下側に反射板が配され、該反射板が前記キャビネットの支持脚の側面によって支持されることを特徴とするスピーカ装置。
【請求項５】
前記反射板が透明または半透明の導光板から構成され、前記支持脚の側面に取付けられた発光素子からの光が前記反射板に入射されて所定の位置が光ることを特徴とする請求項４に記載のスピーカ装置。
【請求項６】
前記反射板の表面の所定の位置が粗面になっており、該粗面が前記発光素子からの光によって光ることを特徴とする請求項５に記載のスピーカ装置。
【請求項７】
前記反射板の粗面が梨地面から構成されることを特徴とする請求項６に記載のスピーカ装置。
【発明の詳細な説明】
【０００１】
【発明の属する技術分野】
本発明はスピーカ装置に係り、とくにキャビネットのバッフル板を構成する底板の開口部にスピーカ本体を取付けるようにしたスピーカ装置に関する。
【０００２】
【従来の技術】
オーディオ機器あるいは映像機器の音声出力装置としてスピーカ装置が広く用いられる。とくに音響効果を高めるためには、高域、中域、低域のそれぞれの帯域に対応したスピーカを用いることが好ましい。とくに低音用のウーファから成るスピーカは、床面で反射させることによって音響効果を高めることが可能になる。そこで従来よりウーファについては、キャビネットの中間板あるいは底板の開口部にスピーカを取付けるようにし、中間板の下側であって底板との間の側面に形成された放音口から音を放出するか、底板に設けられている開口部から音を放出している。
【０００３】
【特許文献１】特開昭６０−２５９０８６号公報
【特許文献２】特開２０００−４８６３７号公報
【発明が解決しようとする課題】
とくに低音用のスピーカであるウーファをキャビネットの底板を兼ねるバッフル板の開口部の部位に取付けるとともに、下方に向けて音を放出するようにした構成によると、低音域の音声を床面で反射させて側方に出すことが可能になる。ところがこの場合に音の反射が、床面の材料や表面の性状等によって変化する可能性がある。とくに床面に絨毯やカーペットを敷設し、その上にスピーカ装置を載置した場合には、ウーファから放出される音が上記の絨毯やカーペットによって吸収され、側方に低音域の音声が伝達されないという問題がある。
【０００４】
本発明はこのような問題点に鑑みてなされたものであって、とくに下方に向けて放出された音声が側面に効果的に拡がるようにしたスピーカ装置を提供することを目的とする。
【０００５】
【課題を解決するための手段】
本願の主要な発明は、
キャビネットのバッフル板の開口部にスピーカ本体を取付けたスピーカ装置において、
前記バッフル板がキャビネットの底板から構成され、該底板の開口部に下方に向けて前記スピーカ本体を取付けるとともに、前記底板の下側に前記スピーカ本体からの音声を反射する反射板を配することを特徴とするスピーカ装置に関するものである。
【０００６】
ここで前記キャビネットの底板に支持脚が取付けられるとともに、該支持脚の側面によって前記反射板が支持され、前記反射板と床面との間に隙間が形成されることが好適である。また前記キャビネットにダクトが設けられていることが好ましい。
【０００７】
本願の別の主要な発明は、
キャビネットの底板の開口部に下方に向けてスピーカ本体を取付けるとともに、
前記スピーカ本体と対向するように底板の下側に反射板が配され、該反射板が前記キャビネットの支持脚の側面によって支持されることを特徴とするスピーカ装置に関するものである。
【０００８】
ここで前記反射板が透明または半透明の導光板から構成され、前記支持脚の側面に取付けられた発光素子からの光が前記反射板に入射されて所定の位置が光ることが好適である。また前記反射板の表面の所定の位置が粗面になっており、該粗面が前記発光素子からの光によって光ることが好ましい。また前記反射板の粗面が梨地面から構成されることが好ましい。
【０００９】
一般にスピーカのウーファをキャビネットの底板に下方に向けて配置すると、床面の性状、とくに絨毯等が存在する設置条件においては、放出された音声が絨毯で吸収されてしまう。そこで音質の変化がないように、音声を下方から横方向に反射させるために反射板を設けるようにし、しかも反射板を透明材料にし、照明機能をも備えた構造としている。とくに上記反射板を支持脚に固定するとともに、発光素子を支持脚の内部に搭載することによって意匠的にも機能を損わない構造とすることが可能になる。
【００１０】
【発明の実施の形態】
以下本願に含まれる発明を図示の実施の形態によって説明する。図１〜図５は本実施の形態のスピーカ装置の外観を示している。すなわちこのスピーカ装置は図２と図５との対比から明らかなように、その前面と上面とが一定の幅の細長い矩形の形状をなしている。これに対して背面と底面は台形状をなしている。そして底面を下側にして載置した場合と、背面を下側にして載置した場合とで、その形状が全く同じになるようになっており、高い意匠性を有するものである。
【００１１】
図１および図６に示すように、このキャビネット１０の内側にはその上側に仕切り板１１が設けられるとともに、仕切り板１１の前面側の開口が仕切り板１２によって閉塞され、仕切り板１１の後側の開口が後側の仕切り板１３によって閉塞されてスピーカボックス１５が形成されいる。なおこのキャビネット１０の底部は底板１４から構成されている。
【００１２】
上記仕切り板１１、１２、１３および底板１４によって上述のようにスピーカボックス１５が形成されている。そしてスピーカボックス１５の底部であって底板１４には、円形の開口１６が形成されるとともに、この円形の開口１６に底板１４の下側からウーファから成る低音用スピーカ１７が取付けられる。そして上記低音用スピーカ１７の下方には反射板１８が配されるようになっている。
【００１３】
キャビネット１０の下側であって底板１４の下側には図７および図８に示すように、その前方側に単一の支持脚２１が取付けられるとともに、後方側には一対の支持脚２２が設けられている。そして前方側の支持脚２１と後方側の支持脚２２との間には中間側の３つの支持脚２３が設けられている。そして中間側の３つの支持脚２３によって上記反射板１８が支持されるようになっている。
【００１４】
反射板１８は例えば透明なアクリル樹脂から構成されるとともに、上記支持脚２３によって支持される部位に切欠き２６が形成され、これらの切欠き２６が支持脚２３の保持部２７によって保持されるようになっている。とくに支持脚２３には図９に示すように、その内部に縦方向にプリント基板２８が取付けられるとともに、このプリント基板２８上にマウントされた発光ダイオード２９が上記反射板１８の切欠き２６と対向するようになっている。従ってこのような構成によれば、発光ダイオード２９からの光が切欠き２６を通してこの反射板２８内に導入される。また反射板１８の所定の位置には図８および図９に示すように粗面３０が形成されている。粗面３０は例えば梨地面から形成されている。なお粗面３０以外の部位は鏡面仕上げされて発光ダイオード２９からの光が全反射されるようになっている。
【００１５】
上記キャビネット１０のスピーカボックス１５の上側には図１および図４に示すようにシャーシ３６が保持されるようになっている。シャーシ３６は一対のプリント基板３７、３８を保持している。ここで一方のプリント基板３７は信号回路を形成し、他方のプリント基板３８は電源回路を構成している。そしてこれらのシャーシ３６がキャビネット１０内に設けられている取付け板４０に取付けられるようになっている。そしてキャビネット１０の背面側の部分は図４に示すリヤカバー３２によって端子板３３を覆うようにし、これによってこのキャビネット１０の背面側の開口を閉塞している。
【００１６】
以上のような構成において、ウーファを構成する低音用スピーカ１７から図６に示すように下方に向けて低音域の音声が放出される。この音声はその下側に配されている反射板１８によって反射されて側方に導かれる。すなわち低音用スピーカ１７の下側の床面で反射することなく、反射板１８によって音声が反射されるようになっている。
【００１７】
なおこの低音用のスピーカ１７から成るスピーカ装置は、いわゆるバスレフ型のスピーカ装置を構成している。すなわちスピーカボックス１５には底板１４を貫通するようにダクト４１が設けられ、このダクト４１によってスピーカ１７の振動板から後方に出た音波をダクト４１を通るときに位相を１８０度回転し、これによってこのスピーカ１７の前方側から出た音声と同相になるようにしている。
【００１８】
このような反射板１８を用いることによって、低音用スピーカ１７からの音声が床面で反射されることがなくなる。従ってこのスピーカ装置の設置条件、とくに床面の構造やその性状によって影響されることがなくなる。例えば絨毯やカーペットを敷いた床面の上においても、スピーカ１７からの音声が絨毯やカーペットによって吸収されることがなくなり、音質の変化がなくなる。従って音響効果を損うことなく低音域の音声を確実に放出できるようになる。
【００１９】
またこの反射板１８はイルミネーション効果を発現するようになっている。すなわち支持脚２３内に取付けられた発光ダイオード２９が点灯するために、この発光ダイオード２９からの光が反射板１８の切欠き２６を通して図９Ａに示すように反射板１８内に導入される。ここで反射板１８は例えばアクリル樹脂のような透明材料から構成されており、外表面が鏡面仕上げされ、しかも上述の如くその所定の位置、例えば上面の外周側に近い部位および下面のほぼ中央にそれぞれ粗面３０が図９Ｂに示すように形成されている。従って発光ダイオード２９から出射された光が図９Ａに示すようにこの反射板１８の表面で全反射されるとともに、粗面３０の部分で光って外部に光を発生させる。なおそれ以外の光は反射板１８の切欠き２６とは反対側の位置であってその外周縁から出射される（図８参照）。
【００２０】
従ってとくに支持脚２３のプリント基板２８上に設けられている発光ダイオード２９の発光する色を最適な色に選択することによって、高いイルミネーション効果を発生することが可能になり、極めて高品位の意匠性を発揮することが可能になる。
【００２１】
以上本願に含まれる発明を図示の実施の形態によって説明したが、本願に含まれる発明は上記実施の形態によって限定されることなく、本願に含まれる発明の技術的思想の範囲内で各種の変更が可能である。例えば上記実施の形態においては、反射板１８が透明材料であるアクリル樹脂から構成されているが、反射板１８をガラス板から構成してもよい。またこの反射板１８の取付け位置、あるいは取付け手段については各種の変更が可能である。またその上に形成される粗面３０の配置についても、任意に変更可能である。
【００２２】
【発明の効果】
本願の主要な発明は、キャビネットのバッフル板の開口部にスピーカ本体を取付けたスピーカ装置において、バッフル板がキャビネットの底板から構成され、該底板の開口部に下方に向けてスピーカ本体を取付けるとともに、底板の下側にスピーカ本体からの音声を反射する反射板を配したものである。
【００２３】
従ってこのようなスピーカ装置によれば、底板によって構成されるバッフル板の開口部に取付けたスピーカ本体から放出された音声がその下方の反射板によって反射されて側方に拡がることになる。
【００２４】
本願の別の主要な発明は、キャビネットの底板の開口部に下方に向けてスピーカ本体を取付けるとともに、スピーカ本体と対向するように底板の下側に反射板が配され、該反射板がキャビネットの支持脚の側面によって支持されるようにしたものである。
【００２５】
従ってこのようなスピーカ装置によれば、底板の開口部に取付けられたスピーカ本体から発射された音声が反射板によって側方に反射されることになる。従ってこのスピーカ装置の設置条件、すなわち床面の材料やその性状、あるいは絨毯やカーペット等の有無に影響されることなく、例えば絨毯やカーペットがある場合にもスピーカ本体からの音声が吸収されることがなく、これによって音質の変化をなくすことが可能なる。
【図面の簡単な説明】
【図１】スピーカ装置の全体の構成を示す分解斜視図である。
【図２】同スピーカ装置の平面図である。
【図３】同スピーカ装置の側面図である。
【図４】スピーカ装置の背面側のリヤカバーを取付けない状態および取付けた状態の背面図である。
【図５】スピーカ装置の正面図である。
【図６】スピーカ装置の縦断面図であって図７におけるＡ〜Ａ断面図である。
【図７】スピーカ装置の底面図である。
【図８】発光ダイオードからの光の放射の状態を示すスピーカ装置の底面図である。
【図９】反射板の発光動作を示す要部縦断面図である。
【符号の説明】
１０‥‥キャビネット、１１‥‥仕切り板（上側）、１２‥‥仕切り板（前側）、１３‥‥仕切り板（後側）、１４‥‥底板、１５‥‥スピーカボックス、１６‥‥円形の開口、１７‥‥低音用スピーカ（ウーファ）、１８‥‥反射板、２１‥‥支持脚（前方側）、２２‥‥支持脚（後方側）、２３‥‥支持脚（中間側）、２６‥‥切欠き、２７‥‥保持部、２８‥‥プリント基板、２９‥‥発光ダイオード、３０‥‥粗面（梨地面）、３２‥‥リヤカバー、３３‥‥端子板、３６‥‥シャーシ、３７‥‥プリント基板（信号回路）、３８‥‥プリント基板（電源回路）、４０‥‥取付け板、４１‥‥ダクト
【図１】
2004297730.tif 000003
【図２】
2004297730.tif 000004
【図３】
2004297730.tif 000005
【図４】
2004297730.tif 000006
【図５】
2004297730.tif 000007
【図６】
2004297730.tif 000008
【図７】
2004297730.tif 000009
【図８】
2004297730.tif 000010
【図９】
2004297730.tif 000011